(57)【特許請求の範囲】
【請求項１】
給水管に取り付けられたヘッド本体の下部に感熱部を有する複数個のスプリンクラヘッドを備え、これらのスプリンクラヘッドを同一室内の天井面に設けたスプリンクラ消火装置において、
前記感熱部を有するスプリンクラヘッドの近傍にヒンジにより揺動自在に被水防止壁を垂設し、このスプリンクラヘッドからの放水時には水圧によって前記被水防止壁が開放し、隣接するスプリンクラヘッドからの放水時には前記被水防止壁が閉じて前記感熱部への被水を防止することを特徴とするスプリンクラ消火装置。
【発明の詳細な説明】
【０００１】
【発明の属する技術分野】
この発明はスプリンクラ消火装置に係り、特に感熱式のスプリンクラヘッドを備えたスプリンクラ消火装置に関する。
【０００２】
【従来の技術】
従来、この種のスプリンクラ消火装置は、たとえば特開昭５６−１５２６６１号公報に開示されている如く給水源に制御弁を介して接続された給水本管を備えており、この給水本管から分岐した給水枝管には１個若しくは複数個のスプリンクラヘッドが取り付けられている。これらのスプリンクラヘッドはヘッド本体の下部に感熱部を有しており、感熱部の周囲が所定温度に達すると、ヘッド本体の下部から消火用水が放射状に放出されるようになっている。
【０００３】
【発明が解決しようとする課題】
ところで、近年、散水面積の広いスプリンクラヘッドがビルや住宅などで使用されるようになってきている。また、住宅で用いられるスプリンクラヘッドは、壁に沿って置かれた家具やカーテンにも十分に散水し、壁面側からの火災の拡大を防止するようにしている。
このようなスプリンクラヘッドは、散水面積を広くしたり、あるいは部屋の壁面側にも十分に消火用水が届くようにするため、横方向に従来より遠方まで消火用水が到達するようにしている。
しかしながら、スプリンクラヘッドから放出された消火用水を遠方まで到達するようにすると、スプリンクラヘッドから放出された消火用水が該ヘッドの近傍に配置されたスプリンクラヘッドに降りかかる可能性がある。特に、スプリンクラヘッドの設置間隔が狭い場合には、スプリンクラヘッドの感熱部がその近傍に配置されたスプリンクラヘッドからの消火用水により被水する惧れがあり、感熱部が被水すると、感熱機能が低下し、所期の消火能力を発揮することが困難になる。
【０００４】
この発明は上述した問題点を解決するためになされたもので、スプリンクラヘッドの感熱部がその近傍に配置されたスプリンクラヘッドからの消火用水により被水することを防止できるスプリンクラ消火装置を提供することを目的とする。
【０００５】
【課題を解決するための手段】
かかる目的を達成するために、請求項１の発明は、給水管に取り付けられたヘッド本体の下部に感熱部を有する複数個のスプリンクラヘッドを備え、これらのスプリンクラヘッドを同一室内の天井面に設けたスプリンクラ消火装置において、前記感熱部を有するスプリンクラヘッドの近傍にヒンジにより揺動自在に被水防止壁を垂設し、このスプリンクラヘッドからの放水時には水圧によって被水防止壁が開放し、隣接するスプリンクラヘッドからの放水時には被水防止壁が閉じて前記感熱部への被水を防止することを特徴とする。
【０００６】
【発明の実施の形態】
以下、この発明の実施の形態を図面を参照して説明する。
図１はこの発明の第１の実施形態を示す図であり、図中１ａ及び１ｂはスプリンクラヘッドを示している。これらのスプリンクラヘッド１ａ，１ｂは図示しない給水管にソケット２を介して取り付けられたヘッド本体３と、このヘッド本体３の下端部に設けられた感熱部としての感熱板４とを備えており、スプリンクラヘッド１ａと１ｂとの間には、被水防止手段としての被水防止壁５ａ，５ｂが設けられている。
【０００７】
これらの被水防止壁５ａ，５ｂはスプリンクラヘッド１ｂ又は１ａからの消火用水によりスプリンクラヘッド１ａ又は１ｂの感熱板４が被水することを防止するためのもので、被水防止壁５ａ，５ｂの下端部は感熱板４より下方位置にそれぞれ設けられている。また、被水防止壁５ａ，５ｂは互いに対向しており、被水防止壁５ａ，５ｂの上端部には連結具としてのヒンジ６ａ，６ｂが設けられている。
【０００８】
ヒンジ６ａ，６ｂは固定部材７ａ，７ｂに取り付けられており、これらの固定部材７ａ，７ｂはスプリンクラヘッド１ａ，１ｂを外力から保護する保護カバー８ａ，８ｂのベ−ス部９に取り付けられている。このベ−ス部９は天井面１０に固定されており、これにより被水防止壁５ａ，５ｂの上端部はヒンジ６ａ，６ｂ、固定部材７ａ，７ｂおよび保護カバー８ａ，８ｂを介して天井面１０に揺動可能に取り付けられている。また、被水防止壁５ａ，５ｂはヒンジ６ａ，６ｂにより回動方向がそれぞれ規制されており、例えば被水防止壁５ａは図中反時計方向には回動するが、図中時計方向への回動がヒンジ６ａにより規制されている。
【０００９】
このように構成される第１の実施形態では、例えばスプリンクラヘッド１ａから消火用水が放出されると、スプリンクラヘッド１ａの近傍に設けられた被水防止壁５ａが消火用水の水圧により図１に示す二点鎖線の如くヒンジ６ａを中心として開放方向に回動する。このとき、被水防止壁５ｂはヒンジ６ｂにより回動方向がスプリンクラヘッド１ｂの外方側のみに規制されているため、スプリンクラヘッド１ａからの消火用水が被水防止壁５ｂに当たってもスプリンクラヘッド１ｂの感熱板４が被水することはない。
一方、スプリンクラヘッド１ｂから消火用水が放出されると、スプリンクラヘッド１ｂの近傍に設けられた被水防止壁５ｂが消火用水の水圧により図１に示す二点鎖線の如くヒンジ６ｂを中心として開放方向に回動する。このとき、被水防止壁５ａはヒンジ６ａにより回動方向がスプリンクラヘッド１ａの外方側のみに規制されているため、スプリンクラヘッド１ｂからの消火用水が被水防止壁５ａに当たってもスプリンクラヘッド１ａの感熱板４が被水することはない。
したがって、上述した第１の実施形態ではスプリンクラヘッド１ａと１ｂとの設置間隔が狭い場合でもスプリンクラヘッド１ａ及び１ｂの感熱板が消火用水により被水することを防止でき、これにより所期の消火能力を確実に発揮することができる。
また、上述した第１の実施形態では被水防止壁５ａ，５ｂがスプリンクラヘッド１ａ，１ｂからの放水を受けると、スプリンクラヘッド１ａ，１ｂの外方側に回動するため、スプリンクラヘッド１ａ，１ｂの散水領域を広範囲に維持しながらスプリンクラヘッド１ａ，１ｂの感熱板４，４が消火用水により被水することを防止できる。
なお、上述した実施形態では感熱板４を感熱部とするスプリンクラヘッド１ａと１ｂとの間に被水防止壁５ａ，５ｂを設けたが、たとえばグラスバルブを感熱部とするスプリンクラヘッド間に被水防止壁５ａ，５ｂを設けても同様の作用効果を得ることができる。
また、上述した実施形態では固定部材７ａ，７ｂをベース部９に取り付けられるようにしたが、取付形態はこれには限定されず、例えば天井面１０に当該固定部材７ａ，７ｂを直接取り付け、上記と同様の作用効果を奏するようにしても良い。
なお、上述した実施形態では２つのスプリンクラヘッドが隣接する場合について説明したが、隣接するスプリンクラヘッドが３つ以上の場合にも上述の実施形態を適用でき、この場合には各々２つの隣接するスプリンクラヘッドを結ぶ中心線上に被水防止壁を設けるようにすれば良い。
【００１０】
図２はこの発明の第２の実施形態を示す図であり、図中１１はスプリンクラヘッドを示している。このスプリンクラヘッド１１は図示しない給水管にソケット１２を介して接続されたヘッド本体１３を備えており、ヘッド本体１３の下端部には感熱部としての感熱板１４が設けられている。また、図２中１５はスプリンクラヘッド１１を外力から保護する保護カバーであり、この保護カバー１５のベース部１６には、被水防止手段としてのカバー部材１７がビス等により取り付けられている。
【００１１】
カバー部材１７は下方が開口した半球形状若しくはそれに類似した形状をなしており、上記感熱板１４はその上部と側部をカバー部材１７により囲繞されている。また、このカバー部材１７は図３に示す如く二層構造となっており、カバー部材１７の外面側１７ａは同カバー１７の内面側１７ｂよりも熱膨張率の小さい材料で形成されている。
【００１２】
このように構成される第２の実施形態では、感熱板１４の上部と側部がカバー部材１７により囲繞されているため、スプリンクラヘッド１１の感熱板１４がその近傍に配置されたスプリンクラヘッドからの消火用水により被水することをカバー部材１７によって防止することができる。
また、上述した実施形態ではカバー部材１７の周囲温度が上昇すると、カバー部材１７の内面側１７ｂが外面側１７ａよりも大きく熱膨張する。そして、カバー部材１７の周囲温度がスプリンクラヘッド１１の作動温度に達すると、図２に示す二点鎖線の如くカバー部材１７の形状が天井面１８に向かって反転する方向に変形する。したがって、散水時にはカバー部材１７が天井面１８に向かって反転した状態となるため、スプリンクラヘッド１１の散水領域を広範囲に維持しながら同ヘッド１１の感熱板１４が消火用水により被水することを防止できる。
【００１３】
なお、上述した第２の実施形態では感熱板１４の上部と側部を囲繞するカバー部材１７を保護カバー１５のベース部１６に取り付けたが、カバー部材１７をヘッド本体１３若しくは天井面１８に取り付けても同様の効果を得ることができる。
また、上述した第２の実施形態ではカバー部材１７の形状を周囲温度によって変形させたが、たとえばスプリンクラヘッド１１から放出される消火用水の水圧によりカバー部材１７の形状を天井面１８に向かって反転する方向に変形させるようにしても良い。
【００１４】
【発明の効果】
以上説明したように、この発明によれば、スプリンクラヘッドの散水領域を広範囲に維持しながらく同ヘッドの感熱部が消火用水により被水することを防止できるスプリンクラ消火装置を提供できる。
【図面の簡単な説明】
【図１】この発明の第１の実施形態に係るスプリンクラ消火装置の要部を示す図である。
【図２】この発明の第２の実施形態に係るスプリンクラ消火装置の要部を示す図である。
【図３】図２のＡ部を拡大して示す図である。
【符号の説明】
１ａ，１ｂ，１１…スプリンクラヘッド
３，１３…ヘッド本体
４，１４…感熱板
５ａ，５ｂ…被水防止壁
６ａ，６ｂ…ヒンジ
８ａ，８ｂ，１５…保護カバー
１７…カバー部材
【図１】
0003647195.tif 000002
【図２】
0003647195.tif 000003
【図３】
0003647195.tif 000004